(57)【特許請求の範囲】
【請求項１】
一定時間毎に受信チャネルを切り替えるチャネルスキャン方法において、
受信チャネルを切り替えた後、前記一定時間経過前に該受信チャネルの放送内容が変化したか監視し、
変化した場合には、該受信チャネルの受信時間を延長する、
ことを特徴とするチャネルスキャン方法。
【請求項２】
放送内容と共に送られてくる該放送内容に応じた情報を抽出し、該情報が変化したとき、放送内容が変化したとみなす、
ことを特徴とする請求項1記載のチャネルスキャン方法。
【請求項３】
受信チャネル切り替え後の経過時間を計時し、前記一定時間経過前に該受信チャネルの放送内容が変化したとき、経過時間をリセットして零から計時を再開することにより、受信時間を延長することを特徴とする請求項1または請求項2記載のチャネルスキャン方法。
【請求項４】
前記放送内容は音楽曲であり、放送内容に応じた前記情報は曲名あるいはアーティスト名であることを特徴とする請求項2記載のチャネルスキャン方法。
【請求項５】
一定時間毎に受信チャネルを切り替えるチャネルスキャン方法において、
次に受信すべきチャネルの放送内容と共に送られてくる放送内容の切り替わり時刻を特定する情報を抽出し、
該次のチャネルに切り替えた場合、前記一定時間経過前に該チャネルの放送内容が切り替わるか前記抽出した情報を参照して調べ、
放送内容が切り替わらなければ該チャネルを受信し、切り替わる場合には、更に次に受信すべきチャネルについて上記動作を繰り返す、
ことを特徴とするチャネルスキャン方法。
【請求項６】
前記放送内容の切り替わり時刻を特定する情報は、該放送内容の終了時刻あるいは次の放送内容の開始時刻である、
ことを特徴とする請求項5記載のチャネルスキャン方法。
【請求項７】
一定時間毎に受信チャネルを切り替えるチャネルスキャン機能を備えた多チャネル放送の受信装置において、
チャネルスキャンを指示する手段、
チャネルスキャンが指示されたとき、一定時間毎に受信チャネルを切り替える受信チャネル切り替え手段、
受信チャネル切り替え後の経過時間を計時する計時手段、
受信チャネル切り替え後、前記一定時間経過前に該受信チャネルの放送内容が変化するか監視し、変化する場合には該チャネルの受信時間を延長する受信時間制御手段、
を有することを特徴とする放送受信装置。
【請求項８】
放送内容と共に送られてくる該放送内容に応じた情報を抽出する手段を備え、
前記受信時間制御手段は前記情報が変化したとき、放送内容が変化したとみなすことを特徴とする請求項７記載の放送受信装置。
【請求項９】
一定時間毎に受信チャネルを切り替えるチャネルスキャン機能を備えた多チャネル放送の受信装置において、
チャネルスキャンを指示する手段、
チャネルスキャンが指示されたとき、一定時間毎に受信チャネルを切り替える受信チャネル切り替え手段、
受信チャネル切り替え後の経過時間を計時する計時手段、
次に受信すべきチャネルの放送内容と共に送られてくる放送内容の切り替わり時刻を特定する情報を抽出する手段、
該次のチャネルに切り替えた場合、前記一定時間経過前に該チャネルの放送内容が切り替わるか前記抽出した情報を参照して調べ、放送内容が切り替わらなければ該チャネルを受信し、切り替わる場合には、更に次に受信すべきチャネルについて上記動作を繰り返す受信チャネル決定手段、
を有することを特徴とする放送受信装置。
【発明の詳細な説明】
【０００１】
【発明の属する技術分野】
本発明は放送受信装置及びチャネルスキャン方法に係わり、特に、一定時間毎に受信チャネルを切り替える多チャネル放送の放送受信装置及びチャネルスキャン方法に関する。
【０００２】
【従来の技術】
近年、放送信号をディジタル信号に変換し、このディジタル信号を圧縮して送信するディジタル放送が開始されている。このディジタル放送は、従来のテレビジョン放送やラジオ放送に比べ、音質や画質の劣化が少なく、又、データを圧縮して送信するため100チャネルを超す多チャネル放送が可能となっている。図7はディジタル放送のフレーム構成図であり、nチャネルの放送内容を所定長のフレームにマッピングし(時分割多重)、このフレームを順次送信することにより同時にnチャネルの放送を行えるようになっている。
【０００３】
以上より、ディジタル放送においてユーザは、従来の放送メディアと比べて、格段に多くの番組(チャネル)の中から所望の番組を選択することができる。かかる多チャネルディジタル放送では一定時間毎に自動的に受信チャネルを切り替えるスキャン機能は、少ないキー操作及び容易なキー操作で多チャネルの中からユーザが視聴したいチャネルを検索、選択する方法として有効である。
【０００４】
【発明が解決しようとする課題】
従来技術において受信機は、スキャンキーの押下によりチャネルスキャンが指示されると、5秒あるいは7秒等の一定時間(スキャン時間という)が経過する毎に自動的に受信チャネルを切り替え、視聴したいチャネルが見つかったとき該スキャンキーを再度押下することにより該チャネルの放送内容を継続して受信することができる。この場合、設定画面で好みのジャンルのチャネルを設定しておけば該設定チャネルの範囲でチャネルスキャンすることができる。
【０００５】
チャネルスキャンにおいて、受信チャネルを切り替えたとき、スキャン時間の間に放送内容、例えば曲が次の曲に切り替わる場合がある。かかる切り替わりが発生すると、ユーザは受信チャネルがどんな放送あるいは曲であるかを正確に認識できなくなる。そして、ユーザが放送内容を認識する前に、次のチャネルに切り替わってしまい、真に視聴したい放送を見逃してしまう問題がある。図8はかかる場合の説明図である。チャネルCH1受信中において時刻ｔ1において次のチャネルCH2に切り替わり、スキャン時間Ｔs経過前の時刻ｔ2で該チャネルＣＨ2の放送内容がＭ1からＭ2に変化し、時刻t3において次のチャネルＣＨ3に切り替った場合を示している。このようにスキャン時間内で放送内容が切り替わると放送内容の確認が難しく、放送内容を確認する前に次のチャネルに切り替わってしまう。
【０００６】
以上から、本発明の目的は、スキャン時間内に放送内容が切り替わっても正しく放送内容を認識できるようにすることである。
本発明の別の目的はスキャン時間内に放送内容が切り替わらないようにして正しく放送内容を認識できるようにすることである。
【０００７】
【課題を解決するための手段】
本発明の第1は、一定時間毎に受信チャネルを切り替える多チャネル放送におけるチャネルスキャン方法であり、受信チャネルを切り替えた後、前記一定時間経過前に該受信チャネルの放送内容が変化したか監視し、変化すれば該受信チャネルの受信時間を延長する。このようにすれば、放送内容が切り替わってもスキャン時間が長くなり、正しく放送内容を認識できるようになる。
【０００８】
本発明の第2は、一定時間毎に受信チャネルを切り替える多チャネル放送におけるチャネルスキャン方法であり、次に受信すべきチャネルの放送内容と共に送られてくる放送内容の切り替わり時刻を特定する情報を抽出し、該次のチャネルに切り替えた場合、前記一定時間経過前に該チャネルの放送内容が切り替わるか前記抽出した情報を参照して調べ、放送内容が切り替わらなければ該チャネルを受信し、切り替わる場合には、更に次に受信すべきチャネルについて上記動作を繰り返えす。このようにすれば、スキャン時間内に放送内容が切り替わることはないから、正しく放送内容を認識することができる。
【０００９】
【発明の実施の形態】
（Ａ）ディジタル放送受信装置の構成
図1は本発明のディジタル放送受信装置の構成図である。アンテナ1は衛星からの放送信号電波を受信し、フロントエンド部（F/E）2は、アンテナ1を介して受信した放送信号の中から所望の受信周波数成分を抽出すると共に、抽出した放送信号に対して周波数変換を施して中間周波数信号を出力する。べースバンド部3は、直交復調部３ａ、ＦＥＣ処理部３ｂ、デインタリーブ＆デスクランブル部３ｃ、誤り検出／訂正処理部３ｄを備え、フロントエンド部２から出力する中間周波信号に対して、直交復調処理、ＦＥＣ（Forward Error Correction）処理を行い、ついで、デインタリーブを解くと共にデスクランブルして元のデータ列に戻し、最後に、誤り検出／訂正処理(リードソロモン復号処理)を行って高能率符号データ（MPEGデータ）を出力する。データ分離部4はべースバンド処理部3から入力する全チャネルの高能率符号データ（MPEGデータ）から、ユーザが選択したチャネルあるいはスキャン機能により指示されたチャネルのMPEGビデオデータ／MPEGオーディオデータ及び情報データをそれぞれ分離し、MPEGビデオデータ／MPEGオーディオデータを音声／映像デコード部5に入力し、情報データを情報データデコード部13を介して制御部６に入力する。音声／映像デコード部5は入力されたMPEGビデオデータ／MPEGオーディオデータをそれぞれ音声信号、映像信号にデコードし、音声信号をアンプ7へ、映像信号を画像合成部9へ出力し、スピーカ8から音声を出力すると共に表示部10に映像を表示する。
【００１０】
制御部6はディジタル放送受信機全体を制御するものであり、フロントエンド部2による周波数同調制御、データ分離部４への受信チャネルの指示制御、チャネルスキャン制御などを行うと共に、受信した番組配列情報に基いてチャネル選択のためのメニュー画像を適宜作成し、あるいは検索結果の画像を作成して画像合成部９に出力する。画像合成部9は音声／映像デコード部５から入力される映像信号と制御部6から入力される画像を合成し、表示部10に表示する。操作部11は視聴チャネルの選択操作、ジャンル検索の際の検索ジャンル指示操作、音量調整操作、スキャン指示操作等を行う
。
【００１１】
図2はディジタル放送のフレーム構造説明図であり、nチャネルの放送内容を所定長のフレームに時分割多重し、このフレームを順次送信することにより同時にnチャネルの放送を送信できるようになっている。フレームは、チャネル１〜チャネルｎの全チャネルのデータを含んでいる。各チャネルデータは、▲１▼ヘッダデータと▲２▼現在放送している放送内容データ(音楽であれば曲データ)を含み、ヘッダデータは、▲１▼コントロール情報と▲２▼ラベルメッセージLMなどを含んでいる。ラベルメッセージLMには、サービス識別子、現在演奏中の曲の長さ(時間)、現在演奏中の曲の経過時間、アーティスト名、曲名等が含まれている。
【００１２】
(Ｂ)スキャン制御の第1実施例
図3はスキャン制御の第1実施例説明図である。
スキャン制御によりチャネルCH1を受信している際、スキャン時間Ｔs(=5sec)が経過すれば時刻ｔ1で次のチャネルCH2に切り替わる。次のチャネルCH2を受信している際、スキャン時間Ｔs(=5sec)経過前の時刻ｔ2において該チャネルＣＨ2の放送内容がＭ1からＭ2に変化すれば、チャネルＣＨ2の受信時間を延長する。具体的には、チャネル切り替え後の経過時間を計時し、スキャン時間Ｔs(=5sec)経過前に該チャネルの放送内容が変化したとき、経過時間をリセットして零から計時を再開することにより、受信時間を延長する。この結果、図3の例では、放送内容がＭ1からＭ2に変化した時刻ｔ2から更にＴs(=5sec)の間受信を継続し、時刻ｔ3で次のチャネルCH3を受信する。このようにすれば、受信時間をトータル8秒にでき、スキャン時間内に放送内容が切り替わってもスキャン時間が長くなり、正しく放送内容を認識できるようになる。
【００１３】
図4は第1実施例の処理フローである。
制御部6は操作部11のスキャンキー(図示せず)が操作されてチャネルスキャンが要求されたかチェックし(ステップ101)、要求されれば、受信チャネルを決定して該チャネルの選択をデータ分離部4に要求する(ステップ102)。これにより、データ分離部4は要求されたチャネルのMPEGオーディオデータ、MPEGビデオデータを抽出して音声/映像デコード部5に出力すると共に、該チャネルの情報データを情報データデコード部13を介して制御部6に入力する(ステップ103)。制御部6はタイマー６ａを起動し，チャネル切り替え後の経過時間を計時する(ステップ104)。
【００１４】
しかる後、制御部6はスキャン時間(チャネル切り替え間隔時間)Ｔｓが経過したか監視する(ステップ105)。スキャン時間が経過しなければ、放送内容の切り替わり(音楽番組であれば曲と曲の切れ間)を検出したかチェックする(ステップ106)。放送内容の切り替わりがなければ、ステップ103に飛び、現在受信中のチャネルの受信を継続し、ステップ104以降の処理を繰り返す。
放送内容の切り替わり検出は、音楽番組であれば、ラベルメッセージLBに含まれる曲名あるいはアーティスト名が変化したか監視することにより、あるいは、現在演奏中の曲の経過時間が曲の長さに一致したか監視することにより行う。
【００１５】
一方、放送内容の切り替わりがあれば、タイマー6aの計時時間をリセットし(ステップ１０７)、しかる後、ステップ103に飛び、現在受信中のチャネルの受信を継続し、ステップ104以降の処理を繰り返す。計時時間のリセットにより、受信時間が延長する。
以上の処理が繰り返されてステップ105において、タイマーによる計時時間がスキャン時間Ｔsを越えれば、スキャン終了条件が検出されたかチェックし(ステップ108)、スキャン終了条件が検出されなければ、制御部6はステップ102に飛び、次のチャネルの受信を要求し、ステップ103以降の処理を繰り返す。
一方、ステップ108において、スキャン終了条件が検出されると、例えば、スキャンキーが押下されて視聴チャネルが設定されると、制御部6はチャネルスキャン動作を終了する。
【００１６】
（Ｃ）スキャン制御の第２実施例
図５はスキャン制御の第２実施例説明図である。
スキャン制御でチャネルCH1を受信している際、時刻ｔ1においてスキャン時間Ｔs(=5sec)が経過すれば、次に受信すべきチャネルＣＨ2の放送内容の切り替わり時刻ｔ2を特定する情報を放送信号より抽出し、チャネルＣＨ2に切り替えた場合、スキャン時間Ｔs(=5sec)経過前に該チャネルＣＨ2の放送内容が切り替わるか調べる。図5の例では放送内容が切り替わる。かかる場合には、更に次に受信すべきチャネルＣＨ3について上記動作を繰り返えす。チャネルＣＨ1からチャネルＣＨ3に切り替えた場合、スキャン時間Ｔs(=5sec)経過前にチャネルＣＨ3の放送内容が切り替わらないから、該チャネルＣＨ3を受信する。
【００１７】
チャネルＣＨ3を受信している際、時刻ｔ3においてスキャン時間Ｔs(=5sec)が経過すれば、次に受信すべきチャネルＣＨ2の放送内容の切り替わり時刻ｔ2′を特定する情報を放送信号より抽出し、チャネルＣＨ2に切り替えた場合、スキャン時間Ｔs(=5sec)経過前に該チャネルＣＨ2の放送内容が切り替わるか調べる。図5の例では放送内容が切り替わらないから、チャネルＣＨ2を受信する。以下同様にしてチャネルＣＨ2の後にチャネルＣＨ4を受信する。
以上のようにすれば、スキャン時間内に放送内容が切り替わることはないから、正しく放送内容を認識することができる。
【００１８】
図6は第２実施例の処理フローである。
制御部6は操作部11のスキャンキー(図示せず)が操作されてチャネルスキャンが要求されたかチェックし(ステップ201)、要求されれば、受信すべきチャネルを決定して該チャネルCHiの選択をデータ分離部4に要求する(ステップ202)。これにより、データ分離部4は要求されたチャネルCHiのMPEGオーディオデータ、MPEGビデオデータを抽出して音声/映像デコード部5に出力すると共に、該チャネルの情報データ(ラベルメッセージなど)を情報データデコード部13を介して制御部6に入力する(ステップ203)。ついで、制御部6はタイマー６ａを起動し，チャネル切り替え後の経過時間を計時すると共に(ステップ204)、スキャン時間(チャネル切り替え間隔時間)Ｔｓが経過したか監視する(ステップ205)。スキャン時間が経過しなければ、ステップ203以降の処理により現在受信中のチャネルCHiの受信を継続する。
【００１９】
一方、ステップ205においてスキャン時間Ｔｓが経過すれば、スキャン終了条件が検出されたかチェックし(ステップ206)、スキャン終了条件が検出されなければ、制御部6は次に受信すべきチャネルCHi+1の放送内容の切り替わり時刻を特定する情報を放送信号より抽出する。そして、該チャネルCHi+1に切り替えた場合、スキャン時間Ｔs(=5sec)経過前に該チャネルCHi+1の放送内容が切り替わるか調べる(ステップ207)。
放送内容の切り替わり時刻を特定する情報として、例えば、現受信中放送内容の終了時刻、あるいは次の放送内容の開始時刻を採用する。現受信中放送内容の終了時刻は、図2における曲の長さと曲の経過時間の差分から算出できる。また、次の放送内容の開始時刻は上記終了時刻に曲間時間Δtを加算することにより求めることができる。なお、チャネルデータに現受信中放送内容の終了時刻や次の放送内容の開始時刻を含めることもできる。
【００２０】
ステップ207において、放送内容が切り替わらなければ、ステップ202以降の処理によりチャネルCHi+1を受信し、上記処理を繰り返す。一方、ステップ207において、放送内容が切り替わればチャネルCHi+1の次に受信すべきチャネルCHi+2を決定し(ステップ208)、ステップ207の処理を繰り返す。すなわち、該チャネルCHi+２の放送内容の切り替わり時刻を特定する情報を放送信号より抽出する。そして、該チャネルCHi+2に切り替えた場合、スキャン時間Ｔs(=5sec)経過前に該チャネルCHi+2の放送内容が切り替わるか調べる。
以上の処理を継続してステップ206において、スキャン終了条件が検出されれば、例えば、スキャンキーが押下されて視聴チャネルが設定されると、制御部6はチャネルスキャン動作を終了する。
【００２１】
【発明の効果】
本発明によれば、受信チャネルを切り替えた後、スキャン時間経過前に該受信チャネルの放送内容が変化したか監視し、変化すれば該受信チャネルの受信時間を延長するように構成したから、放送内容が切り替わってもスキャン時間が長くなるため、正しく放送内容を認識できるようになる。
【００２２】
又、本発明によれば、次に受信すべきチャネルの放送内容と共に送られてくる放送内容の切り替わり時刻を特定する情報を抽出し、該次のチャネルに切り替えた場合、スキャン時間経過前に、該チャネルの放送内容が切り替わるか前記抽出した情報を参照して調べ、放送内容が切り替わらなければ該チャネルを受信し、切り替わる場合には、更に次に受信すべきチャネルについて上記動作を繰り返えすように構成したから、スキャン時間内に放送内容が切り替わることはなく、正しく放送内容を認識することができる。
【図面の簡単な説明】
【図１】本発明のディジタル放送受信装置の構成図である。
【図２】ディジタル放送のフレーム構造説明図である。
【図３】スキャン制御の第1実施例説明図である。
【図４】第1実施例の処理フローである。
【図５】スキャン制御の第２実施例説明図である。
【図６】第２実施例の処理フローである。
【図７】ディジタル放送のフレーム構成図である。
【図８】スキャン時間の間に放送内容が切り替わる場合の説明図である。
【符号の説明】
１  アンテナ
２  フロントエンド部（F/E）
３  べースバンド部
４  データ分離部
５  音声／映像デコード部
６  制御部
９  画像合成部
１０  表示部
１１  操作部
【図１】
0004159273.tif 000002
【図２】
0004159273.tif 000003
【図３】
0004159273.tif 000004
【図４】
0004159273.tif 000005
【図５】
0004159273.tif 000006
【図６】
0004159273.tif 000007
【図７】
0004159273.tif 000008
【図８】
0004159273.tif 000009